(57)【要約】【課題】水流と磁力線によって生じる微弱な電流を効果的に増幅することができ、水を活性化させる効果を十分に発揮できる水の活性化装置及び活性化方法を提供する。【解決手段】本発明の水の活性化装置は、内部に通水可能な配管と、配管の内部に、通水した際の水流方向に対して略平行に配設された第１の電極と、配管の内部に第１の電極と対向するように配設された第２の電極と、配管の外部に配設された第１の永久磁石と、第１の永久磁石とＮ極・Ｓ極が対向するように配設された第２の永久磁石と、第１の電極及び第２の電極に接続され、第１の電極と第２の電極との間に直流電圧を印加ことが可能な電源部と、を有し、第１の電極と第２の電極との間で生じる電流の流れる方向と、第１の電極と第２の電極との間における第１の永久磁石と第２の永久磁石とによって生じる磁力線の方向とが交差するよう構成されている。【選択図】図１
2019209289.tif 000002
【特許請求の範囲】
【請求項１】
内部に通水可能な配管と、
前記配管の内部に、通水した際の水流方向に対して略平行に配設された第１の電極と、
前記配管の内部に前記第１の電極と対向するように配設された第２の電極と、
前記配管の外部に配設された第１の永久磁石と、
前記第１の永久磁石とＮ極・Ｓ極が対向するように配設された第２の永久磁石と、
前記第１の電極及び前記第２の電極に接続され、前記第１の電極と前記第２の電極との間に直流電圧を印加することが可能な電源部と、を有し、
前記第１の電極と第２の電極との間で生じる電流の流れる方向と、前記第１の電極と第２の電極との間における前記第１の永久磁石と前記第２の永久磁石とによって生じる磁力線の方向とが交差するよう構成されている水の活性化装置。
【請求項２】
前記電流の流れる方向と前記磁力線の方向の交差する角度は、６０°以上である請求項１に記載の水の活性化装置。
【請求項３】
前記第１の永久磁石の、前記第２の永久磁石と対向する面とは反対側の面に磁気的に接触したヨークが配設されている請求項１または２に記載の水の活性化装置。
【請求項４】
前記ヨークは、磁束漏洩防止材料で構成されている請求項３に記載の水の活性化装置。
【請求項５】
前記配管の一方の端部に設けられ、前記第１の電極及び前記第２の電極の一方の端部を固定する第１の電極固定部材と、
前記配管の他方の端部に設けられ、前記第１の電極及び前記第２の電極の他方の端部を固定する第２の電極固定部材と、を有する請求項１ないし４のいずれか１項に記載の水の活性化装置。
【請求項６】
前記配管は、前記配管の一方の端部側の側面に設けられた水流入口と、前記配管の他方の端部側の側面に設けられた水流出口と、を有する請求項１ないし５のいずれか１項に記載の水の活性化装置。
【請求項７】
前記配管の内部に、前記第２の永久磁石を設置する磁石設置部を有する請求項１ないし６のいずれか１項に記載の水の活性化装置。
【請求項８】
前記電源部は、可変抵抗を備え、直流電圧を変更可能となっている請求項１ないし７のいずれか１項に記載の水の活性装置。
【請求項９】
請求項１ないし８のいずれか１項に記載の水の活性装置を用い、配管内に通水する水を活性化する水の活性化方法。
【発明の詳細な説明】
【技術分野】
【０００１】
本発明は、水の活性化装置及び方法に関し、特に、飲料水、生活用水、植物への水、水耕栽培水、家畜用水、工業用水等の水を活性化させる装置及び方法に関する。
【背景技術】
【０００２】
従来、磁力の作用により水分子のクラスター（分子集合体）を分裂させて小さくすることで、水を活性化する方法は広く知られている。この方法を利用する装置としては、基本的には、通水管を隔てて少なくとも一対の永久磁石を配設し、そのＳ極とＮ極とを対向配置する構成のものである。
【０００３】
特許文献１には、通水管と、該通水管を隔てて且つＮ極とＳ極とを対向させて配設された少なくとも１対の永久磁石と、該永久磁石間の磁束を臨む位置に且つ前記通水管を隔てて対向して配設され、一部が前記通水管の内部と導通している一対の非磁性電導金属板と、前記の通水管、永久磁石及び非磁性電導金属板を収容するハウジングを備えている水の活性化装置が記載されている。この装置では、前記通水管内を水が通過することにより前記磁束及び流水の向きと直交方向に生じる起電流を前記非磁性電導金属板に導き、これにより電子を前記通水管内の流水に作用させると共に、前記永久磁石による磁力により処理することで水を活性化させることができる。
【０００４】
特許文献２には、磁性金属又は磁性セラミックで成型された少なくとも一対の凹型ヨークと、この一対の凹型ヨークの一方の内側の面に磁気的に接触して設けられた永久磁石からなるＮ極と、この一対の凹型ヨークの他方の内側の面に磁気的に接触して設けられた永久磁石からなるＳ極とを有し、前記一対の凹型ヨークを前記Ｎ極及び前記Ｓ極が互いに対向するように所定の間隔をおいて配置し、前記Ｎ極及び前記Ｓ極との接触面を除き、前記一対の凹型ヨーク間の間隔も含めた前記凹型ヨークの内側に、銅、銀、金の単独鍍金又はこれらの金属の複合鍍金、若しくは、これらの金属の薄板を張り合わせた複合金属板で構成される非磁性導電金属層を貼り付け、互いに対向する前記Ｎ極及び前記Ｓ極の間に非磁性体の通水管を設けて、この通水管に前記Ｎ極から前記Ｓ極への磁力線の方向と垂直な方向に通水することによりこの通水を活性化させることを特徴とする水の活性化装置が記載されている。この装置では、前記通水管内に水を通過させることにより、この流水の方向と前記一対の永久磁石間の磁力線の方向とに垂直な方向に生じる起電流を前記ヨーク内面の電位によって前記通水管方向に反発させ、これにより、前記通水管内の流水に電子を作用させると共に、前記一対の永久磁石間の磁力を作用させて処理を行うことで水を活性化させることができる。
【先行技術文献】
【特許文献】
【０００５】
【特許文献１】特開平１１−１３８１７３号公報
【特許文献２】特開２００４−１３０２５１号公報
【発明の概要】
【発明が解決しようとする課題】
【０００６】
しかし、従来の永久磁石を用いる方法では、水を活性化させる効果を十分に発揮させることは難しい状況であった。
そこで、本発明は、水を活性化させる効果を十分に発揮できる水の活性化装置及び活性化方法を提供することを目的とする。
【課題を解決するための手段】
【０００７】
本発明は、内部に通水可能な配管と、
前記配管の内部に、通水した際の水流方向に対して略平行に配設された第１の電極と、
前記配管の内部に前記第１の電極と対向するように配設された第２の電極と、
前記配管の外部に配設された第１の永久磁石と、
前記第１の永久磁石とＮ極・Ｓ極が対向するように配設された第２の永久磁石と、
前記第１の電極及び前記第２の電極に接続され、前記第１の電極と前記第２の電極との間に直流電圧を印加することが可能な電源部と、を有し、
前記第１の電極と第２の電極との間で生じる電流の流れる方向と、前記第１の電極と第２の電極との間における前記第１の永久磁石と前記第２の永久磁石とによって生じる磁力線の方向とが交差するよう構成されている水の活性化装置である。
【０００８】
本発明は、上記の水の活性装置を用い、配管内に通水する水を活性化する水の活性化方法である。
【発明の効果】
【０００９】
本発明によれば、水流と磁力線によって生じる微弱な電流を効果的に増幅することができ、水を活性化させる効果を十分に発揮できる水の活性化装置及び活性化方法を提供することができる。
【図面の簡単な説明】
【００１０】
【図１】第１実施形態に係る水の活性化装置の内部構造の一例を示す縦断面図である。
【図２】図１に示す水の活性化装置のＡ−Ａ’における横断面図である。
【図３】第２実施形態に係る水の活性化装置の内部構造の一例を示す縦断面図である。
【図４】図３に示す水の活性化装置のＢ−Ｂ’における横断面図である。
【図５】第２実施形態に係る水の活性化装置の図４のＤ−Ｄ’における縦断面図である。
【図６】第３実施形態に係る水の活性化装置の内部構造の一例を示す縦断面図である。
【図７】図６に示す水の活性化装置のＣ−Ｃ’における横断面図である。
【発明を実施するための形態】
【００１１】
以下、本発明の水の活性化装置及び活性化方法について、詳細に説明する。
【００１２】
＜水の活性化装置及び活性化方法の第１実施形態＞
まず、水の活性化装置及び活性化方法の第１実施形態について説明する。
図１は、第１実施形態に係る水の活性化装置の内部構造の一例を示す縦断面図、図２は、図１に示す水の活性化装置Ａ−Ａ’における横断面図である。
【００１３】
第１実施形態に係る水の活性化装置１０は、図１及び図２に示すように、内部に通水可能な配管１１と、配管１１内部に配設された第１の電極２１及び第２の電極２２と、配管１１の外周に配設された第１の永久磁石３１及び第２の永久磁石３２と、第１の電極２１と第２の電極２２とに接続された電源部２５とを備えている。
水の活性化装置１０において、水は、図１中、左から右の方向（図１中の矢印の方向）に向かって流れるよう構成されている。以下の説明では、図１中の左側を上流又は上流側、図１中の右側を下流又は下流側ともいう。
【００１４】
配管１１は、その内部に水が流れるよう構成されている。
配管１１は、磁石にくっつかない素材で形成されていることが好ましく、その具体例としては、ステンレス等の金属、塩ビ（ポリ塩化ビニル）等のプラスチックが挙げられる。
【００１５】
配管１１の上流側の端部には、図１に示すように、上流側蓋部１２が設けられている。
また、配管１１の下流側の端部には、図１に示すように、下流側蓋部１３が設けられている。
上流側蓋部１２及び下流側蓋部１３には、後述する第１の電極２１及び第２の電極２２が挿通可能な穴部（図示せず）が設けられている。
また、配管１１の上流側の端部近傍の側面（外周面）には、図１に示すように、配管１１内部へ水を導入するための水流入口１４が設けられている。また、水流入口１４には、上流側Ｌ型配管５１が液密に接続されている。
【００１６】
また、配管１１の下流側の端部近傍の側面（外周面）には、図１に示すように、配管１１内部の水を排出するための水流出口１５が設けられている。また、水流出口１５には、下流側Ｌ型配管５２が液密に接続されている。
配管１１の直径は、本実施形態のように一対の電極を用いる場合、１３ｍｍ〜２５ｍｍ程度であることが好ましい。
また、配管１１の肉厚は、３〜６ｍｍが好ましく、３〜５ｍｍがより好ましい。
【００１７】
第１の電極２１は、図１に示すように、水流に対して略平行となるように、配管１１内部に配設されている。
第１の電極２１の上流側の端部近傍は、上流側蓋部１２の穴部に挿通されている。そして、上流側蓋部１２から突出した部分は、図１に示すように、上流側電極固定部材２３ａにより固定されている。
また、第１の電極２１の下流側の端部近傍は、下流側蓋部１３の穴部に挿通されている。そして、下流側蓋部１３から突出した部分は、図１に示すように、下流側電極固定部材２３ｂにより固定されている。
【００１８】
第２の電極２２は、第１の電極２１と同様に、水流に対して略平行となるように、配管１１内部に配設されている。すなわち、第２の電極２２は、図２に示すように、第１の電極２１と対向するように配設されている。
第２の電極２２の上流側の端部近傍は、上流側蓋部１２の穴部に挿通されている。そして、上流側蓋部１２から突出した部分は、第１の電極２１と同様に、上流側電極固定部材２３ａにより固定されている。
また、第２の電極２２の下流側の端部近傍は、下流側蓋部１３の穴部に挿通されている。そして、下流側蓋部１３から突出した部分は、第１の電極２１と同様に、下流側電極固定部材２３ｂにより固定されている。
第１の電極２１及び第２の電極２２は、例えば、金、銀、銅やステンレス等の導電性を有する金属材料で構成されていることが好ましい。
【００１９】
なお、第１の電極２１と第２の電極２２との距離は、配管１１の直径により適宜変更されるが、５ｍｍ〜２０ｍｍ程度であるのが好ましく、８ｍｍ〜１６ｍｍ程度であるのがより好ましい。
【００２０】
第１の永久磁石３１は、図１に示すように、配管１１の外周面側に配管１１の長手方向に沿って４つ設けられている。また、第２の永久磁石３２は、第１の永久磁石３１と対向するように、配管１１の外周面側に配管１１の長手方向に沿って４つ設けられている。
すなわち、対向する第１の永久磁石３１と第２の永久磁石３２とで構成される組が、配管１１の上流側から下流側に向かって、４セット配置されている。
また、第１の永久磁石３１と第２の永久磁石３２とは、Ｎ極・Ｓ極が対向するように配設されている。本実施形態では、図２に示すように、第１の永久磁石３１のＳ極と、第２の永久磁石３２のＮ極とが対抗している。従って、本実施形態では、磁力線は、図２中の矢印Ｘで示されるように、下から上に向かって伸びている。
【００２１】
また、第１の永久磁石３１及び第２の永久磁石３２は、図２に示すように、磁力線が第１の電極２１と第２の電極２２の間を通るように配設されている。
第１の永久磁石２１及び第２の永久磁石２２としては、鉄−アルミニウム−ニッケル−コバルトを原料とするアルニコ磁石、鉄−クロム−コバルトを原料とする鉄クロムコバルト磁石等の合金磁石；酸化鉄を原料とするフェライト磁石；ネオジム−鉄−ホウ素を原料とするネオジム磁石、サマリウム−コバルトを原料とするサマリウムコバルト磁石等の希土類磁石などの強磁性体を用いることができる。中でも、磁力が強いことから、合金磁石及び希土類磁石が好ましく、アルニコ磁石及びネオジム磁石がより好ましい。
【００２２】
第１の永久磁石３１及び第２の永久磁石３２は、図１及び図２に示すように、凹型ヨーク４１に収容されている。
第１の永久磁石３１は、第２の永久磁石３２と対向する面とは反対側の面（図示の構成ではＮ極側の面）が凹型ヨーク４１と磁気的に接触している。また、第２の永久磁石３２は、第１の永久磁石３１と対向する面とは反対側の面（図示の構成ではＳ極側の面）が凹型ヨーク４１と磁気的に接触している。
【００２３】
凹型ヨーク４１は、鉄、フェライト、炭素の低い鋼（低炭素鋼）等の磁束漏洩防止材料で構成されている。
このような凹型ヨーク４１に収容した状態で、第１の永久磁石３１と第２の永久磁石３２を配管１１の外周へ配設することで、外向きの磁力線を配管の方向に向け、外部に磁力線が漏洩するのを防止することができ、水を活性化させる効果をさらに高めることができる。
【００２４】
第１の電極２１及び第２の電極２２は、電源部２５に接続されている。
電源部２５は、直流電源２５１と、抵抗２５２と、可変抵抗２５３とを有している。
直流電源２５１の正極は、第１の電極２１に電気的に接続されている。
また、直流電源２５１の負極は、抵抗２５２及び可変抵抗２５３を介して、第２の電極２２に電気的に接続されている。
直流電源２５１は、第１の電極２１と第２の電極２２との間に直流電圧を印加することができる。
【００２５】
電源部２５は、可変抵抗２５３を備えているので、第１の電極２１と第２の電極２２との間に印加する直流電圧を適宜変更可能となっている。すなわち、可変抵抗２５３によって、第１の電極２１と第２の電極２２との間の電位差を変更することができ、その結果、第１の電極２１と第２の電極２２との間に発生する電流の大きさを容易に変更することができる。
第１の電極２１と第２の電極２２との間に印加する直流電圧は、例えば、５Ｖ〜４８Ｖの間で可変することができるが、印加する直流電圧はこれに限定されない。
【００２６】
本実施形態では、正極が第１の電極２１に接続されており、負極が第２の電極２２に接続されているので、電流は第１の電極２１から第２の電極２２の方向に流れる。すなわち、本実施形態において、電流は図２の矢印Ｙで表される方向に流れる。
水の活性化装置１０では、このようにして生じた電流によって、磁力線と水流とによって生じる微弱な電圧が増幅され、水の活性化効果が高いものとなる。
【００２７】
磁力線の方向（図中矢印Ｘ）と電流の流れる方向（図中矢印Ｙ）とは交差するよう構成されている。本実施形態では、磁力線の方向（矢印Ｘ）と電流の流れる方向（矢印Ｙ）との交差角（図２中の交差角α）は、略直角となっている。なお、磁力線の方向と電流の流れる方向とは交差していればよいが、その交差角αが６０°以上であるのが好ましく、本実施形態のように、略直角であるのがより好ましい。これにより、磁束と水流によって生じる電流をより効果的に増幅することができる。その結果、より効果的に水を活性化することができる。
なお、交差角とは、二つの線が交差して生じる角のうち、０以上９０°以下となる角のことをいう。
【００２８】
このような構成を有する水の活性化装置１０を用い、配管１１内に通水することで水を活性化させることができる。
より具体的には、配管１１の内部に水を流すと、水が第１の永久磁石３１と第２の永久磁石３２で形成される磁力線の中を通過する。水が磁力線の中を通過すると、磁力線の方向及び水の流れる方向と直交方向に起電流が発生する。本実施形態の水の活性化装置１０では、図２の右側から左側に向かって電流が発生する。本実施形態の水の活性化装置１０では、第１の電極２１及び第２の電極２２を備えているため、第１の電極２１から第２の電極２２に向かって、すなわち、図２の右側から左側に向かって、電流が発生する。その結果、磁力線と水流によって生じた電流が増幅され、この増幅した電流によって水が活性化される。
【００２９】
ここで、水を活性化するメカニズムは、次のとおりである。上記のように発生した電流（起電力）により、水中に電子（ｅ−）が放出される。この電子は、水分子（Ｈ２Ｏ）の酸素に電荷を与えて双極性を高める役割を果たす。これにより、水分子中の水素原子の結合角が広くなり、水分子間の集合密度が増加して水分子のクラスター（集合体）が小さくなり、水はマイナスの電荷を帯びて酸化還元電位が下がり、還元水となる。
【００３０】
クラスターの発生は水素結合に起因するものであるが、電子リッチになると水分子の酸素原子中の電子と自由電子とが反発して、ファンデルワールスの水の結合力よりこの反発力が勝ったとき、水素結合が切れてクラスターが微細化し、水分子のブラウン運動が活発になる。同時に、流水中に放出された電子は水中の溶存酸素に電荷して酸素アニオンを生成し（Ｏ＋ｅ−→Ｏ−）、これが水と反応してヒドロキシルラジカルを形成し（Ｏ−＋Ｈ２Ｏ→２ＯＨ・）、これによって水を弱アルカリ化する。従って、本発明に係る水の活性化装置を用いれば、永久磁石による磁気的な活性化と、電子による電気化学的な活性化との相乗効果によって、磁力のみの活性化方法よりもはるかに優れた水の活性化が行われる。
【００３１】
なお、本実施形態では、配管１１の長手方向に第１の永久磁石３１と第２の永久磁石３２とがそれぞれ４つ配列した構成について説明したが、配管１１の長さ等によってそれぞれの永久磁石の数は適宜変更してもよく、１つ〜３つでもよいし、５つ以上であってもよい。
また、ヨークの形状は、凹型に限定されない。
【００３２】
＜水の活性化装置の第２実施形態＞
次に、水の活性化装置の第２実施形態について説明する。
図３は、第２実施形態に係る水の活性化装置の内部構造の一例を示す縦断面図、図４は、図３に示す水の活性化装置のＢ−Ｂ’における横断面図、図５は、第２実施形態に係る水の活性化装置の図４のＤ−Ｄ’における縦断面図である。なお、図３中の左側を上流又は上流側、図３中の右側を下流又は下流側ともいう。
【００３３】
以下、第２実施形態に係る水の活性化装置について説明するが、前述した実施形態と同様の構成についてはその説明を省略する。
第２実施形態に係る水の活性化装置１０’は、図３〜図５に示すように、内部に通水可能な配管１１と、配管１１内部に配設された３つの第１の電極２１及び２つの第２の電極２２と、配管１１の外周に配設された第１の永久磁石３１及び第２の永久磁石３２と、第１の電極２１と第２の電極２２とに接続された電源部２５とを備えている。
【００３４】
本実施形態の水の活性化装置１０’は、図３、図４に示すように、中央の第１の電極２１が配管１１の中心軸と重なるようにして配列した３つの第１の電極２１と、中央の第１の電極２１を上下で挟むように配設され、上記３つの第１の電極２１に対向する２つの第２の電極２２とを備えている。そして、前記第１実施形態で説明したように、第１の電極２１と第２の電極２２との間には、電位差が生じるよう構成されており、電圧を印加することにより電流が流れるよう構成されている。
【００３５】
本実施形態では、前述した第１実施形態と同様に、第１の電極２１が正極に接続され、第２の電極２２が負極に接続されている。
本実施形態では、図４に示すように、横断面方向において、対向する２つの第１の永久磁石３１と、対向する２つの第２の永久磁石３２とが、配管１１の外周に、第１の永久磁石３１と第２の永久磁石３２とが互いに隣り合うように配置されている。そして、隣り合う永久磁石間で発生する磁力線Ｘが、電位差が生じる電極間を通るように構成されている。なお、第２の永久磁石３２のＮ極から第１の永久磁石３１のＳ極に対して磁力線Ｘが伸びるよう構成されている。
【００３６】
また、本実施形態に係る水の活性化装置１０’は、図５に示すように、配管１１の長手方向において、上述した対向する２つの第１の永久磁石３１と、対向する２つの第２の永久磁石３２とで構成されるセットが、図５に示すように、４つ配列した構成となっている。
本実施形態のように、３本以上の電極を配管１１内に配設する場合、配管１１の直径は、３０ｍｍ以上であるのが好ましい。
【００３７】
なお、水を活性化するメカニズム（水の活性化方法）は、前述した第１実施形態と同様であるので、説明を省略する。
【００３８】
なお、本実施形態では、対向する２つの第１の永久磁石３１と対向する２つの第２の永久磁石３２のセットが配管１１の長手方向に４つ配列した構成について説明したが、１〜３セットでもよいし、５セット以上であってもよい。
【００３９】
＜水の活性化装置の第３実施形態＞
次に、水の活性化装置の第３実施形態について説明する。
図６は、第３実施形態に係る水の活性化装置の内部構造の一例を示す縦断面図、図７は、図６に示す水の活性化装置のＣ−Ｃ’における横断面図である。なお、図６中の左側を上流又は上流側、図６中の右側を下流又は下流側ともいう。
【００４０】
以下、第３実施形態に係る水の活性化装置について説明するが、前述した実施形態と同様の構成についてはその説明を省略する。
第３実施形態に係る水の活性化装置１０”は、図６及び図７に示すように、内部に通水可能な配管１１と、水流と略平行となるように配管１１内部に配設された磁石設置部６１と、水流と略平行となるように配管１１内部に配設された２つの第１の電極２１及び２つの第２の電極２２と、配管１１の外周に配設された第１の永久磁石３１と、磁石設置部６１内に配設された第２の永久磁石３２と、第１の電極２１と第２の電極２２とに接続された電源部２５とを備えている。
【００４１】
２つの第１の電極２１及び２つの第２の電極２２は、図７に示すように、横断面で示す配置が四角形をなしている。そして、第１の電極２１と第２の電極２２とは、互いに隣り合うよう配置され、第１の電極２１同士及び第２の電極２２同士は、上記四角形の対角の位置に配置されている。
また、前述した第１実施形態と同様に、第１の電極２１が正極に接続され、第２の電極２２が負極に接続されている。第１の電極２１と第２の電極２２との間に電圧を印加することで、第１の電極２１と第２の電極２２の間で電位差が生じ、第１の電極２１から第２の電極２２の方向に電流が発生する。
【００４２】
磁石設置部６１は、その内部に第２の永久磁石３２が配設されている。また、磁石設置部６１は、密閉されており、その内部に水が流れない構造になっている。
また、磁石設置部６１は、配管１１の内周面から延設された８つの磁石設置部固定部材６２により、配管１１内に固定されている。
また、磁石設置部６１の水流方向の両端部には、円錐状の水抵抗低減手段６３が設けられている。
【００４３】
配管１１の外周に設置された第１の永久磁石３１と、磁石設置部６１の内部に設置された第２の永久磁石３２とは、Ｎ極・Ｓ極が対向するよう構成されている。なお、第２の永久磁石３２のＮ極から第１の永久磁石３１のＳ極に対して磁力線が伸びるよう構成されている。
図６、図７に示す水の活性化装置１０”では、実線で記載された第１の永久磁石２１及び第２の永久磁石２２のセットと、破線で記載された第１の永久磁石２１及び第２の永久磁石２２のセットが、図６に示すように、奥行き方向に９０°回転した状態で４セット設置されている。
本実施形態では、前述した第２実施形態と同様に、配管１１の直径は、３０ｍｍ以上であるのが好ましい。
【００４４】
なお、水を活性化するメカニズム（水の活性化方法）は、前述した第１実施形態及び第２実施形態と同様である。また、前述した第２実施形態と同様に、第３実施形態の場合、磁力線と水流によって生じる電流の方向と電極によって生じる電流の方向とが異なる方向となる場合があるが、全体として発生する電流は増幅するため、流れる水は効率よく活性化される。
なお、本実施形態では、実線で記載された第１の永久磁石２１及び第２の永久磁石２２のセットと、破線で記載された第１の永久磁石２１及び第２の永久磁石２２のセットが、奥行き方向に９０°回転した状態で４セット設置された構成について説明したが、１〜３セットでもよいし、５セット以上であってもよい。
【００４５】
以上、本発明の水の活性化装置及び活性化方法の好適な実施形態について説明したが、本発明は、これに限定されない。
【実施例】
【００４６】
＜実施例の水の活性化装置＞
図１に示す構成を有する水の活性化装置を作製した。
なお、配管１１として硬質ポリ塩化ビニル製の２５ｍｍ配管を用いた。また、第１の電極及び第２の電極として、４φのステンレスパイプを用意し、配管１１内に１６ｍｍの距離で設置した。また、電源部は、直流電源２４Ｖ、内部抵抗２００Ωとなるように設定した。また、第１の永久磁石３１及び第２の永久磁石３２として、８個のネオジム磁石（１２４００ガウス）を図２に示すように配置した。また、凹型ヨーク４２としては純鉄製のものを用いた。
【００４７】
＜比較例の水の活性化装置＞
実施例で作製した水の活性化装置から電極や電源部を取り除いた水の活性化装置を作製した。
【００４８】
＜評価＞
タンクに水道水１０Ｌを入れたポンプを用意した。
次に、実施例の水の活性化装置と比較例の水の活性化装置に、上記ポンプをそれぞれ接続して、水を循環させた。
循環させた水の酸化還元電位（ＯＰＰ）とｐＨを、循環時間０分から４５分まで、５分単位で測定した。
測定結果を表１に示す。
【００４９】
【表１】
2019209289.tif 000003
【００５０】
表１からも明らかなように、実施例の水の活性化装置では、比較例の水の活性化装置に比べて、酸化還元電位を大きく下げることができることが解った。また、実施例の水の活性化装置では、比較例の水の活性化装置に比べて、ＯＨ−の生成が大きく、水のｐＨがアルカリ側に傾くことが解った。これらのことから、本発明の水の活性化装置は、従来の装置と比べて、水を活性化する能力が高いことが解る。
【符号の説明】
【００５１】
１０、１０’、１０”      水の活性化装置
１１                      配管
１２                      上流側蓋部
１３                      下流側蓋部
１４                      水流入口
１５                      水流出口
２１                      第１の電極
２２                      第２の電極
２３ａ                    上流側電極固定部材
２３ｂ                    下流側電極固定部材
２５                      電源部
２５１                    直流電源
２５２                    抵抗
２５３                    可変抵抗
３１                      第1の永久磁石
３２                      第２の永久磁石
４１                      凹型ヨーク
５１                      上流側Ｌ型配管
５２                      下流側Ｌ型配管
６１                      磁石設置部
６２                      磁石設置部固定部材
６３                      水抵抗低減手段
α                        交差角
【図１】
2019209289.tif 000004
【図２】
2019209289.tif 000005
【図３】
2019209289.tif 000006
【図４】
2019209289.tif 000007
【図５】
2019209289.tif 000008
【図６】
2019209289.tif 000009
【図７】
2019209289.tif 000010